(57)【要約】  【課題】  マーク地を構成する合成樹脂繊維の構成成分と、マークの貼着対象物であるユニホーム等の生地を構成する合成樹脂繊維の構成成分とが親和性のない合成樹脂で構成されているユニホーム等の生地の貼着するマークを提供するものである。  【解決手段】  ユニホーム等の生地を構成する合成樹脂繊維の構成成分とが親和性のない合成樹脂で構成されているマーク地に、前記マーク地を構成する合成樹脂繊維の構成成分と親和性のある合成樹脂から成る第１層を形成し、前記第１層に、前記層の構成成分と親和性があり、且つユニホーム等の生地を構成する合成樹脂繊維の構成成分と親和性があるホットメルト系の熱可塑性合成樹脂と親和性のある合成樹脂から成る第２層を形成し、その第２層に、ユニホーム等の生地を構成する合成樹脂繊維の構成成分である合成樹脂と親和性のあるホットメルト系の熱可塑性合成樹脂による接着層を形成する。  【選択図】    図１
2006097180.tif 000002
【特許請求の範囲】
【請求項１】
マーク地を構成する合成樹脂繊維の構成成分と、マークの貼着対象物であるユニホーム等の生地を構成する合成樹脂繊維の構成成分とが親和性のない合成樹脂で構成されているユニホーム等の生地の貼着するマークであって、
前記マーク地に、前記マーク地を構成する合成樹脂繊維の構成成分と親和性のある合成樹脂から成る第１層である介在層を形成し、
前記第１層に、前記層の構成成分と親和性があり、且つユニホーム等の生地を構成する合成樹脂繊維の構成成分と親和性があるホットメルト系の熱可塑性合成樹脂と親和性のある合成樹脂から成る第２層である中間層を形成し、その第２層に、ユニホーム等の生地を構成する合成樹脂繊維の構成成分である合成樹脂と親和性のあるホットメルト系の熱可塑性合成樹脂による接着層を形成することを特徴とするマーク。
【請求項２】
前記第１層である介在層、第２層である中間層とも、接着層を形成するホットメルト系の熱可塑性合成樹脂よりも融点温度の高い合成樹脂で形成することを特徴する第１項記載のマーク。
【請求項３】
前記第１層である介在層、第２層である中間層の中少なくともいずれかの層に白色染料、昇華性染料の透過防止剤を混合したことを特徴とする第１項記載のマーク。
【発明の詳細な説明】
【技術分野】
【０００１】
本発明は、主として運動着、運動帽等（以下ユニホーム等と略称する）に着用者の所属チームの識別標識やイニシャル、或は、ユニホーム等のデザインを構成する図柄模様として貼着するマークに関する発明である。
【背景技術】
【０００２】
これまでのマークは、合成樹脂繊維から成る織物、編物、不織布等の生地（以下マーク地と略称する）の裏面にホットメルト系の熱可塑性合成樹脂層（以下熱圧接着層と言う）を形成してマーク用生地とし、このマーク用生地から所望の図柄、文字形に裁断、或は、打ち抜きにより切り取って各種の図柄、文字形のマークを形成していた。
また、これまでのマークの構成材であるマーク地は、マークの貼着対象物であるユニホーム等の生地が互いに親和性のある合成樹脂から作られた合成樹脂繊維を用いることを前提とし、更に、マークの構成材である熱圧接着層も、上記マーク地、ユニホーム等の生地を作る合成樹脂繊維と親和性のある合成樹脂を使って作られることを前提とする考え方で作られていた。
【０００３】
そのマークをユニホーム等に貼着するには、マークの構成材である熱圧接着層をユニホーム等の所定の個所に重ね合わせ、マークの構成材であるマーク地面から加熱加圧機具によって押圧し、前記熱圧接着層の構成成分であるホットメルト系の熱可塑性合成樹脂を溶融して、その溶融合成樹脂をマークの構成材であるマーク地とユニホーム等の生地に滲み込ませる操作を行った後、前記操作を止めることによってマーク地とユニホーム等の生地に滲み込んだ合成樹脂を、その状態で冷却して、マーク地側とユニホーム等の生地側にいわゆる投錨機能を発揮させてマーク地とユニホーム等の生地をしっかりと貼着していた。
【０００４】
ところが現在では、一度ユニホーム等にしっかりと貼着したマークを必要に応じてユニホーム等からきれいに剥し取ることが出来るようにしたマークを作ることが解決課題とされるようになった。
【０００５】
この解決課題を解決するための手段は、マークを貼着した個所のユニホーム等の生地裏から剥離剤を滲み込ませ、ユニホーム等の生地に滲透して投錨機能を発揮している前記熱圧接着層の構成成分であるホットメルト系の熱可塑性合成樹脂に剥離剤の成分を作用させて前記したユニホーム等の生地に投錨機能を発揮しているホットメルト系の熱可塑性合成樹脂の投錨機能を減殺し、マーク地が熱圧接着層とともにユニホーム等の生地から剥がれやすいようにした後、マーク地をユニホーム等の生地から引き剥がしていた。しかし、現実には、前記剥離剤の成分が前記熱圧接着層の構成成分であるホットメルト系の熱可塑性合成樹脂を透過してマーク地まで滲透し、マーク地側でも前記した投錨機能を減殺する現象を生じ、マークの引き剥がしを行うとき、マーク地側からも投錨機能を減殺したホットメルト系の熱可塑性合成樹脂から成る熱圧接着層が剥がれ、これがユニホーム等の生地面に残った状態でマーク地がユニホーム等の生地から剥されてしまうことがあった。
即ち、マークをユニホーム等の生地からきれいに引き剥がすことが出来ない現象を生じた。
【０００６】
本発明者は、前記不都合を解消するため鋭意その課題を解決しようと研究を重ねた結果、マーク地表に、前記剥離剤では融解しない介在層を形成し、この介在層としっかりと密着する熱圧接着層を形成したマークを開発し、前記不都合を生じることのないマークを開発した。これを先に特願２００４−１７４４５８号として出願した。
この発明にかかるマークをユニホーム等に貼着する手段は、前記したこれまでのマークと同じである。このマークは、ユニホーム等の生地に貼着した後、ユニホーム等から引き剥がす必要が生じた時に、前記したのと同じ操作を行っても、剥離剤はマーク地裏に形成された介在層は透過しないので熱圧接着層を構成する前記ホットメルト系の熱可塑性合成樹脂の投錨機能はユニホーム等の生地側でのみ減殺され、介在層との関係でマーク地側では減殺されず、従って、マーク地に裏打ちされた介在層とともにホットメルト系の熱可塑性合成樹脂から成る熱圧接着層をユニホーム等の生地から剥がし取られることになる。
即ち、前記した発明にかかるマークはユニホーム等の生地からきれいに剥がし取ることができることになる。
【０００７】
ユニホーム等に貼着するマークは、マーク地として使用した合成樹脂繊維の構成成分である合成樹脂と熱圧接着層の構成成分である合成樹脂とが親和性のある合成樹脂であり、マークの貼着対象物であるユニホーム等の生地として使用した合成樹脂繊維の構成成分とが互いに親和性のある合成樹脂から出来ていることが望ましい。
若し、マークがマーク地として使用した合成樹脂繊維の構成成分である合成樹脂と熱圧接着層を形成する構成成分の合成樹脂が親和性のある合成樹脂から出来ているとしても、熱圧接着層を形成する構成成分の合成樹脂がユニホーム等の生地として使用した合成樹脂繊維の構成成分である合成樹脂とが親和性のないものであるときは、前記したマークを前記したユニホーム等の生地に熱圧着させようとしたとき、マークを構成するマーク地と熱圧接着層は理想どうりに接着するが、前記熱圧接着層とユニホーム等の生地は理想どうりに接着しない。
その結果、耐摩擦強度、耐洗濯強度の弱い接着となる。
また、その反対に、マークを構成する熱圧接着層をユニホーム等の生地と親和性のある合成樹脂を用いるが、その熱圧接着層を構成する合成樹脂がマークを構成するマーク地と親和性のない合成樹脂から出来ているときは、マーク地が剥れやすい接着の仕方となってしまう。
【０００８】
即ち、マークはマーク地を構成する合成樹脂繊維と、これに形成する熱圧接着層とが親和性のある合成樹脂で作り、そのマークは、前記熱圧接着層を構成する合成樹脂と親和性のある合成樹脂繊維で作られているユニホーム等の生地に熱押圧することによって理想どうりの接着ができる。
前記した三者のいずれかが親和性を欠如しているときは理想的な接着はできない。
【０００９】
ところで、マークは、特殊の装飾効果を奏するものとするため、或いはユニホーム等の生地との馴染を考慮してマークを構成するマーク地にそれに見合った合成樹脂繊維を用いることがある。
また、ユニホームも着用したときの肌触り等を考慮してユニホーム等の生地にそれに見合った合成樹脂繊維を用いたものが開発されている。
この両特性を考慮して、本発明の出願人はかつて特許第２６７５３２６号公報に記載され発明を完成した。
【００１０】
このマークを作るマーク地とこのマークを貼着するユニホーム等の生地とは、必ずしも親和性のある合成樹脂から作られた合成樹脂繊維で作られているとは限らない。
この場合には、マークの構成材である熱圧接着層の構成成分は、マーク地を構成する合成樹脂繊維の構成成分である合成樹脂にもユニホーム等の生地を構成する合成樹脂繊維の構成成分である合成樹脂にも親和性のある合成樹脂を選定しなければならない。
【００１１】
マークの構成材であるマーク地と熱圧接着層を形成する合成樹脂成分とが親和性を有し、前記マークを貼着するユニホームの構成材も前記熱圧接着層の形成成分を同じくする合成樹脂であるときは、前記したマークを前記したユニホームに貼着することができる。
しかし、この構成では、解決課題に記載した機能をもつマークとすることはできない。
ところが、マークの構成材であるマーク地と熱圧着層を形成する合成樹脂成分とが親和性を有する合成樹脂から出来ているものであるとしても、前記したマークを貼着するユニホーム等の生地を作る合成樹脂成分とが親和性のある合成樹脂でできていないときは理想どうりの状態でマークをユニホームに貼着することはできない。
【００１２】
また、マークの構成材であるマーク地と熱圧接着層を形成する合成樹脂成分とは親和性のない合成樹脂で出来ていて、そのマークを貼着しようとするユニホーム等の生地が、前記した熱圧接着層と親和性のある合成樹脂で出来ているときは、マークをユニホームに貼着できるが、その貼着状態は、マーク地を理想どうりに貼着した状態で貼着することはできない。
即ち、マークの構成材である熱圧接着層の構成成分は、マーク地ともユニホーム等の構成材である生地の構成成分とも親和性のある合成樹脂から作られたものを使わなければならない。
【発明の開示】
【発明が解決しようとする課題】
【００１３】
本発明は、ユニホーム等の生地の構成材である合成樹脂繊維の構成成分と親和性のない合成樹脂を構成成分とした合成樹脂繊維で作られたマーク地を以て作られたマークの接着力を強化し、且つ、ユニホーム等の生地に貼着したマークを剥離剤を使ってユニホーム等の生地から取り剥し可能なマークとするとともに、マークの構成材であるマーク地、熱圧接着層、並に、マークの貼着対象物であるユニホーム等の生地のそれぞれについて、それぞれの特性を配慮して貼着機能を十分に発揮でき、更に、ユニホーム等の生地自体、或は生地に図柄模様として施した着色の透過を阻止したり、或いは、ユニホーム等の生地自体、或いは生地に図柄模様として染色した昇華性染料の再昇華によるマーク地の変色を阻止したりする等の機能を発揮できるマークを提供しようとする発明である。
【課題を解決するための手段】
【００１４】
マーク地を構成する合成樹脂繊維の構成成分と、マークの貼着対象物であるユニホーム等の生地を構成する合成樹脂繊維の構成成分とが親和性のない合成樹脂で構成されているユニホーム等の生地の貼着するマークであって、前記マーク地に、前記マーク地を構成する合成樹脂繊維の構成成分と親和性のある合成樹脂から成る第１層を形成し、前記第１層に、前記層の構成成分と親和性があり、且つユニホーム等の生地を構成する合成樹脂繊維の構成成分である合成樹脂と親和性があるホットメルト系の熱可塑性合成樹脂と親和性のある合成樹脂で第２層を形成し、その第２層に、ユニホーム等の生地を構成する合成樹脂繊維の構成成分と親和性のあるホットメルト系の熱可塑性合成樹脂による熱圧接着層を形成することとし、前記第１層、第２層の中少なくともいずれかの層に白色染料、昇華性染料の透過防止剤を混合したマークとし、前記第１層、第２層は、熱圧接着層より融点温度の高い合成樹脂で作る層とするものである。
【発明の効果】
【００１５】
マークの構成材であるマーク地の合成樹脂繊維と、ユニホーム等の生地の合成樹脂繊維の構成成分である合成樹脂が親和性のない合成樹脂から作られていて本来ならマークの構成材であるマーク地の合成樹脂繊維の構成成分である合成樹脂と、ユニホーム等の記事の合成樹脂繊維の構成成分である合成樹脂とに共通する親和性のある合成樹脂はないことから、前記したマーク地とユニホーム等の生地を接着する熱圧接着層をマーク地に形成することはできないが、本発明は、マークの構成材であるマーク地の合成樹脂繊維の裏面に該繊維の構成成分である合成樹脂と親和性のある合成樹脂を以て第１層である介在層を形成し、該介在層に、該介在層の構成成分である合成樹脂とも、ユニホーム等の生地の合成樹脂繊維の構成成分である合成樹脂とも親和性のある合成樹脂を以て作る熱圧接着層の構成成分とも親和性のある合成樹脂から成る第２層である中間層を形成し、これに前記熱圧接着層を形成するマークとすることによって、ユニホーム等の構成材である生地と馴染みの薄いマーク地を使ったマークをユニホーム等の生地に貼着することができる。
それだけでなく、ユニホーム等の生地に貼着したマークは、ユニホーム等の生地自体、或いはユニホーム等の生地に形成した図柄の着色の透視を阻止し、或いは、昇華性染料を以て染色したユニホーム等の生地自体、或いはユニホーム等の生地に形成した図柄上にマークを熱圧接着する際、前記昇華性染料の再昇華によってマーク構成材であるマーク地を染色してしまうのを阻止し、更にユニホーム等の生地に貼着したマークを剥離可能を保持したままで貼着できる。
【発明を実施するための最良の形態】
【００１６】
本件発明は、マークの構成材であるマーク地を作る合成樹脂繊維の構成成分の合成樹脂がユニホーム等の構成材である生地を作る合成樹脂繊維の構成成分の合成樹脂と親和性のない合成樹脂で作られているものであるときでも、解決課題の項に記載した課題を解決したマークと作るものである。
【００１７】
マーク１の構成材であるマーク地２は、ユニホーム等の生地（図示しない）の構成材である合成樹脂繊維の構成成分と親和性のない合成樹脂から作った合成樹脂繊維から成る。マーク地２の裏面に、前記したマーク地２とする合成樹脂繊維の構成成分である合成樹脂と親和性があり、且つ剥離剤に反応しない性質から成る合成樹脂を以て第１層である介在層３を形成する。その第１層である介在層３の裏面に、前記した第１層である介在層３の構成成分である合成樹脂とも、ユニホーム等の生地の構成材である合成樹脂繊維の構成成分である合成樹脂と親和性のある熱圧接着層の構成成分とも親和性を有し、且つ剥離剤に反応しない性質から成る合成樹脂で作られる第２層である中間層４を形成する。該中間層４の裏面に、前記した中間層４を構成する合成樹脂とも、ユニホーム等の生地の構成材である合成樹脂繊維の構成成分である合成樹脂とも親和性のあるホットメルト系の熱可塑性合成樹脂を以て熱圧接着層５を形成したマーク用生地を作る。
この熱圧接着層の構成成分である合成樹脂は、剥離剤に反応して融化する性質を持っているホットメルト系の熱可塑性合成樹脂である。
【００１８】
第１層である介在層３と第２層である中間層４は、それぞれに熱圧接着層５の構成成分である合成樹脂よりは融点温度が高い合成樹脂であり、且つ、前記した剥離剤には反応しない性質をもつ合成樹脂であり、且つ、少なくとも一方にはユニホーム等の生地そのもの、或いはユニホーム等の生地に形成した図柄の着色を透視するのを阻止する白色染料或いは、ユニホーム等の生地そのもの、或いはユニホーム等の生地に形成した図柄を染色した昇華性染料が、マークを熱圧着する際の加熱により再昇華して、マーク地を染色するのを阻止する昇華性染料透過阻止材を混入する。
【００１９】
マーク地にこれらの層を積層してマーク用生地を作る。このマーク用生地の熱圧接着層は剥離紙で裏打ちする。そのマーク用生地を所望の図柄、文字形に打ち抜き、或は切り取って図柄、或は文字形のマークとする。
【００２０】
この構成から成るマークをユニホーム等に貼着するには、前記熱圧接着層に裏打ちされた剥離紙を剥がした後、前記したマークの熱圧接着層５をユニホーム等の所望の個所に重ねる。そして、マークのマーク地２面から加熱押圧器具（図示しない）で押圧する。この押圧により、マークの構成材である前記介在層３は、マーク地２に融着し、その溶融合成樹脂がマーク地２に滲み込む。
また、前記介在層３と中間層４とも前記操作により融着し強固に接着することになる。
更に、中間層４と熱圧接着層５とは前記操作により融着し強固に接着することになる。
中間層４に形成されて中間層４と融着した熱圧接着層５は前記操作により融着し、その構成成分である溶融合成樹脂は、ユニホーム等の生地に滲み込む。この操作を行った後、前記加熱押圧操作を止める。そして、前記した溶融合成樹脂の冷却を待つことにより、各層の構成成分である合成樹脂は強固に接着し、マーク地に滲み込んだ溶融合成樹脂、ユニホーム等の生地に滲み込んだ融融合成樹脂は、それぞれ投錨機能を発揮してマーク地並びにユニホーム等の生地に強固に接着することになる。
【００２１】
介在層３、中間層４には前記した通り、白色染料が混入され、昇華性染料の透過を阻止する薬剤が混入されているので、ユニホーム等の生地に貼着したマークのマーク地からはユニホーム等の生地、或は、その生地に形成した図柄等の着色が透視されず、マーク地の色彩に変調を来すことは阻止される。
【００２２】
また、昇華性染料を以て着色したユニホーム等の生地そのもの、或は、ユニホーム等の生地に形成した図柄模様の上にマークを熱圧着する場合、その加熱押圧によって昇華性染料が再昇華してマークのマーク地を着色し、そのためマークのマーク地を着色し、マーク地の本来の色彩を変色してしまうのを阻止する。
【００２３】
本件発明は、前記した構成となっていることから、ユニホーム等の生地に貼着したマーク１をユニホーム等の生地から剥し取るには、マークを貼着した個所のユニホーム等の生地の裏面に剥離液を滲透させる。
そして、ユニホーム等の生地に滲透して投錨機能を発揮している熱圧接着層を構成するホットメルト系の熱可塑性合成樹脂の投錨機能を減殺する。
【００２４】
しかし、前記した熱圧接着層を強固に接着した中間層、或は介在層は、前記した剥離液には反応しない合成樹脂を以て作ってある。
従って、前記した剥離液によって何等の変化を引き起こさない。
【００２５】
この状態の下で、マークをユニホーム等の生地面から引き離すと、熱圧接着層を構成するホットメルト系の熱可塑性合成樹脂は投錨機能を減殺されているので、マーク地は、介在層、中間層の減殺された投錨機能を発揮した熱圧接着層とともにユニホーム等の生地から剥がし取ることが出来ることになる。
【図面の簡単な説明】
【００２６】
【図１】本発明の斜視図である。
【符号の説明】
【００２７】
２    マーク地
３    マーク地と親和性のある合成樹脂で形成した介在層
４    介在層と親和性があり、且つ、介在層ともユニホーム等の生地とも親和性のある熱圧接着層とも親和性がある合成樹脂で形成した中間層
５    ユニホーム等の生地に親和性のある合成樹脂で形成した熱圧接着層
【図１】
2006097180.tif 000003